(57)【要約】【課題】  スイッチ付きプラグの提供。【解決手段】  上本体、下本体を合併してなるプラグ本体の内部の一側に側面が開口とされた収容室が形成され、該プラグ本体内に設けられた溝に、該プラグ本体内に一極のブレードとそれに接続された接続片及び電線が収容され、該溝に平行なもう一つの溝に、もう一極のブレードとそれに接続された接続片に対応する角形片とそれに接続された電線を収容する溝Ａ、Ｂが設けられ、二つの電線の結合端部より引き出された電線がＬＥＤと抵抗に接続され、該ＬＥＤがプラグ本体に設けられた収容部に収容され、該収容室の底面に、角形片と、凸円部が一体に形成された接続片が配置され、角形片と接続片はガイド板を介して選択的に接続され、スイッチは中央に中孔を具え、その孔内に弾性手段が設けられ並びに末端に該弾性手段に付勢された伸縮軸が設けられ、該伸縮軸は収容室中に弾性突出し、ガイド板の円弧軌道上に当接する。【選択図】        図４
0003103432.tif 000002
【実用新案登録請求の範囲】
【請求項１】
ブレード、抵抗、ＬＥＤ、ガイド板、スイッチ、カバー及びベースが組み合わされてなるスイッチ付きプラグにおいて、
上本体、下本体を合併してなるプラグ本体の内部の一側に側面が開口とされた収容室が形成され、該プラグ本体内に設けられた溝に、該プラグ本体内に一極のブレードとそれに接続された接続片及び電線が収容され、該溝に平行なもう一つの溝に、もう一極のブレードとそれに接続された接続片に対応する角形片とそれに接続された電線を収容する溝Ａ、Ｂが設けられ、二つの電線の結合端部より引き出された電線がＬＥＤと抵抗に接続され、該ＬＥＤがプラグ本体に設けられた収容部に収容され、該収容室の底面に、角形片と、凸円部が一体に形成された接続片が配置され、角形片と接続片はガイド板を介して選択的に接続され、スイッチは中央に中孔を具え、その孔内に弾性手段が設けられ並びに末端に該弾性手段に付勢された伸縮軸が設けられ、該伸縮軸は収容室中に弾性突出し、ガイド板の円弧軌道上に当接することを特徴とする、スイッチ付きプラグ。
【請求項２】
請求項１記載のスイッチ付きプラグにおいて、ガイド板は両翼を具え、中央の上下の凹部がプラグ本体に嵌合支持されて、両方向に揺動するシーソー状を呈し、伸縮軸の突出端が円弧状を呈し、ガイド板に沿って往復する時にスイッチ切り換えを形成することを特徴とする、スイッチ付きプラグ。
【請求項３】
請求項１記載のスイッチ付きプラグにおいて、スイッチに設けられた弾性手段がガイド板の円弧軌跡の起伏に沿って往復して伸縮する動作が、スイッチ切り換えに対応することを特徴とする、スイッチ付きプラグ。
【考案の詳細な説明】
【技術分野】
【０００１】
本考案は一種のスイッチ付きプラグに係り、特にプラグにスイッチが付加され使用操作上の危険を減らした実用機能の高いプラグに関する。
【背景技術】
【０００２】
電化製品はこの時代にあって、民生用或いは工業用のいずれでもプラグで電源を引き込むことで動作する。プラグは上下のケース内にブレードを挟んでネジで固定したものと、ブレードと電線がプラグとモールド加工されて結合され一体とされたものがある。前者は両極ブレードの弛みを発生しやすく、接触不良を形成しやすい。後者はモールド加工され、差し込み使用時の安定性を有するが、プラグ本体に電流の開閉装置が設けられていないため、プラグを抜き差しする時に、ブレードが直接摩擦する瞬間に火花を発生することがある。また、プラグのブレードは空気中の湿度にさらされて静電気を発生しやすく、且つ電線長さが不十分であると、延長コンセントに抜き差ししなければならず、感電する機会が多くなる。以上から、周知のプラグは改善が求められている。
【考案の開示】
【考案が解決しようとする課題】
【０００３】
本考案の主要な目的は、一種のスイッチ付きプラグを提供することにある。それは、ブレード、抵抗、ＬＥＤ、ガイド板、スイッチ、カバー及びベースが組み合わされてなり、プラグにスイッチを付加して使用操作上の危険を減らした実用機能の高いプラグである。
本考案の次の目的は、一種のスイッチ付きプラグを提供することにあり、それは、プラグ本体に設けられた収容室の底部に角形片と、ガイド板を介して電源と選択的に接続される接続片が設けられ、スイッチに弾性手段に付勢された伸縮軸が設けられ、伸縮軸がガイド板の円弧軌跡沿ってスライド及び伸縮するものとする。
本考案の別の目的は、一種のスイッチ付きプラグを提供することにあり、それはガイド板がシーソー状にプラグ本体に枢設され、伸縮軸の突出端が状態でガイド板の円弧軌跡に当接してスライドし、その往復時に左右のてこの切り換え機能を呈するものとする。
本考案の別の目的は、一種のスイッチ付きプラグを提供することにあり、弾性手段に付勢された伸縮軸がガイド板の円弧軌跡に沿って往復、伸縮し、伸縮軸のピストン運動によりガイド板の切り換え時のシーソー運動に順応するものとする。
本考案の別の目的は、一種のスイッチ付きプラグを提供することにあり、それは、ＬＥＤでプラグの通電状態を確認でき、またカバーでスイッチが被覆されて防水機能を達成したものとする。
【課題を解決するための手段】
【０００４】
請求項１の考案は、ブレード、抵抗、ＬＥＤ、ガイド板、スイッチ、カバー及びベースが組み合わされてなるスイッチ付きプラグにおいて、
上本体、下本体を合併してなるプラグ本体の内部の一側に側面が開口とされた収容室が形成され、該プラグ本体内に設けられた溝に、該プラグ本体内に一極のブレードとそれに接続された接続片及び電線が収容され、該溝に平行なもう一つの溝に、もう一極のブレードとそれに接続された接続片に対応する角形片とそれに接続された電線を収容する溝Ａ、Ｂが設けられ、二つの電線の結合端部より引き出された電線がＬＥＤと抵抗に接続され、該ＬＥＤがプラグ本体に設けられた収容部に収容され、該収容室の底面に、角形片と、凸円部が一体に形成された接続片が配置され、角形片と接続片はガイド板を介して選択的に接続され、スイッチは中央に中孔を具え、その孔内に弾性手段が設けられ並びに末端に該弾性手段に付勢された伸縮軸が設けられ、該伸縮軸は収容室中に弾性突出し、ガイド板の円弧軌道上に当接することを特徴とする、スイッチ付きプラグとしている。
請求項２の考案は、請求項１記載のスイッチ付きプラグにおいて、ガイド板は両翼を具え、中央の上下の凹部がプラグ本体に嵌合支持されて、両方向に揺動するシーソー状を呈し、伸縮軸の突出端が円弧状を呈し、ガイド板に沿って往復する時にスイッチ切り換えを形成することを特徴とする、スイッチ付きプラグとしている。
請求項３の考案は、請求項１記載のスイッチ付きプラグにおいて、スイッチに設けられた弾性手段がガイド板の円弧軌跡の起伏に沿って往復して伸縮する動作が、スイッチ切り換えに対応することを特徴とする、スイッチ付きプラグとしている。
【考案の効果】
【０００５】
本考案はプラグにスイッチが設けられることで、スイッチを切断状態にしてプラグを抜き差ししてから、スイッチを通電状態とすることができ、これにより火花の発生を防止し、静電気が身体に危険を及ぼすのを防止することができる。
【考案を実施するための最良の形態】
【０００６】
図１から図５に示されるように、本考案のスイッチ付きプラグは、ブレード、抵抗、ＬＥＤ、ガイド板、スイッチ、カバー及びベースが組み合わされてなる。該プラグはモールド加工されてなる上本体５、下本体５５を具え、上本体５と下本体５５が合併してなるプラグ本体の一側に側面が開口とされた収容室５５１が形成されている。該プラグ本体内にブレード５２とそれに接続された接続片５３及び電線５３５、及びもう一極のブレード５６とそれに接続された接続片５５６、及び接続片５５６に対応する角形片５７とそれに接続された電線５５７を収容する溝Ａ、Ｂが設けられ、二つの電流の結合端部に電線が接続されて、ＬＥＤ５８と抵抗５９に接続され該ＬＥＤ５８がプラグ本体に設けられた収容部５５２に収容され、通電状態か否かのチェックに供される。該収容室５５１の底面に、角形片５７と、凸円部５６１が一体に形成された接続片５５６が配置され、角形片５７と接続片５５６はガイド板６６を介して選択的に接続される。該ガイド板６６は両翼を具え、中央の上下の凹部がプラグ本体に嵌合支持されて、両方向に揺動するシーソー状を呈する。スイッチ６は中央に中孔６１を具え、その孔内に弾性手段６１２が設けられ並びに末端に該弾性手段６１２に付勢された伸縮軸６２が設けられ、該伸縮軸６２は収容室５５１中に弾性突出している。プラグ本体に設けられたプラグ孔６５５に通されたピン６５により、スイッチ６がプラグ本体に枢設される。伸縮軸６２の突出端は円弧状とされ、状態でガイド板６６の円弧軌道上に当接し、スイッチ中の弾性部品に付勢されてガイド板６６の円弧軌道に沿って伸縮し、ガイド板６６に沿って逆方向に移動する時、左右のてこの切り換えを行ない、角形片５７と接続片５５６間の接続と切断の切り換えを行ない、上述のＬＥＤによりその状態が確認される。カバー８はスイッチの外部を被覆して防水機能を提供する。
【図面の簡単な説明】
【０００７】
【図１】本考案の斜視図である。
【図２】本考案の分解斜視図である。
【図３】本考案の組合せ状態表示図である。
【図４】本考案の動作表示図である。
【図５】本考案の動作表示図である。
【符号の説明】
【０００８】
５  上本体
５５  下本体
５５１  収容室
５２、５６  ブレード
５３  接続片
５３５  電線
５５６  接続片
５７  角形片
５５７  電線
Ａ、Ｂ  溝
５８  ＬＥＤ
５９  抵抗
５５２  収容部
５６１  凸円部
６  スイッチ
６１  中孔
６１２  弾性手段
６２  伸縮軸
６５  ピン
６５５  プラグ孔
６６  ガイド板
８８  カバー
【図１】
0003103432.tif 000003
【図２】
0003103432.tif 000004
【図３】
0003103432.tif 000005
【図４】
0003103432.tif 000006
【図５】
0003103432.tif 000007